(57)【特許請求の範囲】
【請求項１】
遊技盤（６）を前枠（３）の遊技盤装着枠（３０）に着脱自在に装着し、前記遊技盤（６）側の盤側コネクタ（４２ａ〜４２ｄ）を盤側ジョイント部（４３）に、前記盤側コネクタ（４２ａ〜４２ｄ）に対応する前記前枠（３）側の枠側コネクタ（２７ａ〜２７ｄ）を枠側ジョイント部（２８）に夫々集約して、前記盤側コネクタ（４２ａ〜４２ｄ）と前記枠側コネクタ（２７ａ〜２７ｄ）とを前記盤側ジョイント部（４３）と前記枠側ジョイント部（２８）とを介して一体的に係脱可能に構成した弾球遊技機において、前記盤側ジョイント部（４３）又は前記枠側ジョイント部（２８）を前記遊技盤（６）側又は前記前枠（３）側に固定的に設け、前記枠側ジョイント部（２８）又は前記盤側ジョイント部（４３）を前記前枠（３）側又は前記遊技盤（６）側にヒンジ（２９）を介して回動可能に設け、前記遊技盤（６）を前記遊技盤装着枠（３０）に装着した状態で、前記枠側ジョイント部（２８）又は前記盤側ジョイント部（４３）を前記ヒンジ（２９）廻りに回動させることにより、固定側の前記盤側ジョイント部（４３）又は前記枠側ジョイント部（２８）に対して係脱可能としたことを特徴とする弾球遊技機。
【請求項２】
前記遊技盤（６）を前記遊技盤装着枠（３０）に対して前側から着脱可能とし、前記遊技盤（６）側に前記盤側ジョイント部（４３）を前向きに設け、前記前枠（３）の前側に前記枠側ジョイント部（２８）を設けたことを特徴とする請求項１に記載の弾球遊技機。
【請求項３】
前記遊技盤（６）側に前記盤側ジョイント部（４３）を固定的に設け、前記前枠（３）の前側に、前記枠側ジョイント部（２８）を、前記遊技盤（６）が前記遊技盤装着枠（３０）に装着された状態で前記盤側ジョイント部（４３）側に接続する接続位置と、前記盤側ジョイント部（４３）から離脱し且つ前記遊技盤（６）と干渉しない待避位置との間で左右方向又は上下方向の前記ヒンジ（２９）により回動可能に設けたことを特徴とする請求項２に記載の弾球遊技機。
【請求項４】
遊技盤（６）側に設けた切欠部（４０）内に、前記盤側ジョイント部（４３）をその背面側が前記遊技盤（６）の背面と略面一となるように後側から装着し、前記遊技盤（６）を前記遊技盤装着枠（３０）に前側から装着したとき、前記盤側ジョイント部（４３）が遊技盤装着枠（３０）により後側から支持されるように構成したことを特徴とする請求項３に記載の弾球遊技機。
【請求項５】
前記盤側コネクタ（４２ａ〜４２ｄ）と前記枠側コネクタ（２７ａ〜２７ｄ）との接続状態を保持する接続保持手段（８７，８８）を設けたことを特徴とする請求項１〜４の何れかに記載の弾球遊技機。
【請求項６】
前記接続保持手段（８７，８８）は、前記枠側ジョイント部（２８）側又は前記盤側ジョイント部（４３）側に設けられた被係合部（８７）と、前記盤側ジョイント部（４３）側又は前記枠側ジョイント部（２８）側に設けられ且つ前記被係合部（８７）に係脱可能に係合する係合爪（８８）とを備え、前記盤側コネクタ（４２ａ〜４２ｄ）と前記枠側コネクタ（２７ａ〜２７ｄ）とが互いに接続されたときに前記係合爪（８８）が前記被係合部（８７）に係合するように構成されていることを特徴とする請求項５に記載の弾球遊技機。
【発明の詳細な説明】
【技術分野】
【０００１】
本発明は、パチンコ機等の弾球遊技機に関するものである。
【背景技術】
【０００２】
パチンコ機等の弾球遊技機は、外枠に開閉自在に枢着された前枠に遊技盤装着枠が設けられ、この遊技盤装着枠に対して前側又は裏側から遊技盤が着脱自在に装着されている。遊技盤には前面の遊技領域に入賞手段その他の遊技部品が、裏側に遊技部品等の遊技動作を制御する主制御基板、演出制御基板等が夫々装着されている。また前枠側には電源基板、発射制御基板、払い出し制御基板等が装着されている。
【０００３】
この種の弾球遊技機では、前枠に遊技盤を装着する際に前枠側と遊技盤側とをハーネス等により電気的に接続する必要があるが、通常その接続箇所は複数あるため、それらを一つ一つ手作業で接続していたのでは作業効率が非常に悪い。そこで、例えば特許文献１に記載された発明では、電源基板、払い出し制御基板等にハーネスを介して接続された複数のコネクタを有する枠側ハウジングを前枠側に設けると共に、主制御基板、演出制御基板等にハーネスを介して接続された複数のコネクタを有する盤側ハウジングを遊技盤側に設け、この枠側ハウジングと盤側ハウジングとを連結することにより、対応するコネクタ同士を一括して接続可能としている。
【０００４】
しかしながら、この特許文献１に記載された発明では、枠側ハウジング、盤側ハウジング共に前枠、遊技盤に対して固定されていないため、枠側ハウジングと盤側ハウジングとを夫々手に持って、また各ハウジングに接続されているハーネスの配線位置や絡み、捻れなどに細心の注意を払いつつ接続する必要がある。
【０００５】
そこで出願人は、盤側コネクタを集約した盤側ジョイント部を遊技盤側に、それら盤側コネクタに対応する枠側コネクタを集約した枠側ジョイント部を前枠側に、夫々固定的に設け、遊技盤を前枠に装着したとき、盤側ジョイント部の盤側コネクタが枠側ジョイント部の枠側コネクタに一体的に接続されるように構成した弾球遊技機の発明について既に出願している（特願２００７−１６８６３４）。
【特許文献１】特開２００５−８０９０３号公報
【発明の開示】
【発明が解決しようとする課題】
【０００６】
このように、特願２００７−１６８６３４に記載された発明では、遊技盤を前枠に装着するだけで、その他のめんどうな接続操作を全く行うことなく、盤側コネクタを枠側コネクタに接続することができ、作業効率が著しく向上するという利点があるが、作業者がジョイント部を直接操作することがないため、直接手作業で接続する場合に比べて接続動作が逆に不確実となる場合があった。
【０００７】
例えば、作業者が枠側ジョイントと盤側ジョイントとを手作業で直接接続する場合には、それらジョイント部の取付強度が十分でなくても確実に接続することが可能であるが、特願２００７−１６８６３４に記載された発明の場合には、仮に枠側ジョイントの前枠に対する取付強度が不十分であった場合には、遊技盤装着時に枠側ジョイント部が盤側ジョイントに対して後側に逃げることにより接続不良が生じる可能性があった。
【０００８】
本発明は、このような従来の問題点に鑑み、作業者が遊技盤を前枠に装着した後、ハーネスの配線位置や絡み、捻れなどを気にすることなく片手で最小限の接続操作を行うことにより、盤側コネクタを枠側コネクタに容易且つ確実に接続することが可能な弾球遊技機を提供することを目的とする。
【課題を解決するための手段】
【０００９】
本発明は、遊技盤６を前枠３の遊技盤装着枠３０に着脱自在に装着し、前記遊技盤６側の盤側コネクタ４２ａ〜４２ｄを盤側ジョイント部４３に、前記盤側コネクタ４２ａ〜４２ｄに対応する前記前枠３側の枠側コネクタ２７ａ〜２７ｄを枠側ジョイント部２８に夫々集約して、前記盤側コネクタ４２ａ〜４２ｄと前記枠側コネクタ２７ａ〜２７ｄとを前記盤側ジョイント部４３と前記枠側ジョイント部２８とを介して一体的に係脱可能に構成した弾球遊技機において、前記盤側ジョイント部４３又は前記枠側ジョイント部２８を前記遊技盤６側又は前記前枠３側に固定的に設け、前記枠側ジョイント部２８又は前記盤側ジョイント部４３を前記前枠３側又は前記遊技盤６側にヒンジ２９を介して回動可能に設け、前記遊技盤６を前記遊技盤装着枠３０に装着した状態で、前記枠側ジョイント部２８又は前記盤側ジョイント部４３を前記ヒンジ２９廻りに回動させることにより、固定側の前記盤側ジョイント部４３又は前記枠側ジョイント部２８に対して係脱可能としたものである。
【発明の効果】
【００１０】
本発明によれば、ハーネスの配線位置や絡み、捻れなどを気にすることなく最小限の接続操作で盤側コネクタ４２ａ〜４２ｄを枠側コネクタ２７ａ〜２７ｄに容易且つ確実に接続することが可能である。
【発明を実施するための最良の形態】
【００１１】
以下、本発明の実施形態を図面に基づいて詳述する。図１〜図１４は本発明をパチンコ機に採用した第１の実施形態を例示している。図１において、１は遊技機本体で、矩形状の外枠２と、この外枠２の前側に開閉自在に枢着された前枠３とを備えている。
【００１２】
前枠３は例えば合成樹脂製で、図２，図４，図５等に示すように、外枠２の前面側に当接する矩形状の枠部４と、この枠部４の内側下部に配置される下部装着部３ａと、枠部４の内側上部に配置される上部装着部３ｂとを一体に備え、下部装着部３ａに発射手段５等が、上部装着部３ｂに遊技盤６等が夫々配置されている。枠部４は、上下一対の横枠部４ａ，４ｂと、左右一対の縦枠部４ｃ，４ｄとで構成されており、前枠３はその左右一端側、例えば左縦枠部４ｃ側に設けられた上下方向のヒンジ７により外枠２に枢支されている。
【００１３】
前枠３の前側には、下部装着部３ａに対応する前面開閉板９と、上部装着部３ｂに対応するガラス扉１０とがヒンジ７と同じ側のヒンジ１１により開閉自在に枢支されている。前面開閉板９には、その前側に発射手段５に供給するための遊技球を貯留する供給皿１２、発射手段５を作動させるための発射ハンドル１３等が設けられている。また、ガラス扉１０には、遊技盤６側の遊技領域６ａに対応するガラス窓１４が形成されている。
【００１４】
下部装着部３ａは、下横枠部４ｂの上側に沿って横長状に形成されており、図２に示すようにその前側の例えば左右方向略中央に発射手段５が配置され、前面開閉板９側の供給皿１２から発射手段５に発射用の遊技球が供給されるようになっている。発射手段５は、板金製の支持板２１と、この支持板２１の前面に装着された発射レール２２と、支持板２１の前面で前後方向の駆動軸廻りに揺動自在に支持された打撃槌２３と、支持板２１の裏側に装着され且つ打撃槌２３を打撃方向に駆動するロータリソレノイド等の発射駆動手段２４等を備え、発射ハンドル１３が操作されたときに発射駆動手段２４により打撃槌２３を打撃方向（時計廻り）に間欠的に駆動することにより、供給皿１２から発射レール２２上に供給された遊技球を発射レール２２に沿って打撃して遊技盤６側に発射させるようになっている。
【００１５】
また、下部装着部３ａの前側には、発射手段５の左側に、後述する払い出し手段７３から払い出された遊技球を前面開閉板９側の供給皿１２に排出するための払い出し口２５等が、右側に下部スピーカ２６等が夫々配置され、更に例えば下部装着部３ａの左端側上部には、枠側コネクタ２７ａ〜２７ｄを有する枠側ジョイント部２８が、例えば左右方向のヒンジ２９を介して上下方向に揺動自在に装着されている。
【００１６】
上部装着部３ｂは、枠部４の内側で且つ下部装着部３ａの上側に配置され、外枠２の内側に嵌合可能な後ろ向き膨出状に形成されており、その前部に遊技盤６を装着可能な遊技盤装着枠３０が設けられている。また、上部装着部３ｂにおける遊技盤装着枠３０よりも後側が遊技盤６の後部側を略覆う後部ケース３１となっており（図４，図５）、その上部の左右両端側には一対の上部スピーカ３２（図２）が着脱自在に装着されている。
【００１７】
遊技盤６は、ベニヤ板等により略矩形状に形成されており、図２に示すように、その前面側には発射手段５により発射された遊技球を遊技領域６ａの上部側に案内する外レール３３ａと、遊技領域６ａの周囲を規定する周壁の少なくとも一部を構成する内レール３３ｂとが立設されると共に、遊技領域６ａ内には略中央に画像表示手段を備えたセンターケース３４ａの他、通過ゲート３４ｂ、開閉式入賞手段３４ｃ、大入賞手段３４ｄ、普通入賞手段３４ｅ等の各種遊技部品が装着されている。
【００１８】
また、遊技盤６の裏面側には、図４，図６等に示すように、センターケース３４ａ等の遊技部品を後側から覆う裏カバー３５が装着され、この裏カバー３５の背面側に主制御基板３６ａが格納された主基板ケース３６、演出制御基板３７ａが格納された演出基板ケース３７、液晶制御基板３８ａが格納された液晶基板ケース３８等が着脱自在に装着されている。
【００１９】
裏カバー３５は、上部側の上部カバー３５ａと下部側の集球ケース３５ｂとで構成されており、これら上部カバー３５ａと集球ケース３５ｂは遊技盤６の裏面に個別に装着されている。集球ケース３５ｂは下部側に排出口３９を備え、大入賞手段３４ｄ等に入賞して遊技盤６の裏側に案内された遊技球を排出口３９側に誘導して下向きに排出するように構成されている。なお、演出基板ケース３７、液晶基板ケース３８は上部カバー３５ａの裏側に装着され、主基板ケース３６は集球ケース３５ｂの裏側に装着されている。
【００２０】
また、遊技盤６の外周側には、遊技領域６ａの外側の領域に対応して、例えば右下部にコネクタ接続用切欠部４０が設けられ、そのコネクタ接続用切欠部４０内に、盤側コネクタ４２ａ〜４２ｄを有する盤側ジョイント部４３が配置されている。この盤側ジョイント部４３の盤側コネクタ４２ａ〜４２ｄは、枠側ジョイント部２８の枠側コネクタ２７ａ〜２７ｄに夫々対応している。
【００２１】
遊技盤装着枠３０は、図２，図４，図５等に示すように、上横枠部４ａの内周側に設けられる上支持枠５１、下部装着部３ａの上縁側に設けられる下支持枠５２、左縦枠部４ｃの内周側に設けられる左支持枠５３、右縦枠部４ｄの内周側に設けられる右支持枠５４により、遊技盤６を前側から着脱できるように前面側が開放された矩形状に形成されている。上下左右の支持枠５１〜５４は、夫々遊技盤６をその上下左右の縁部において支持するもので、遊技盤６の外周面に沿って配置される周壁部５１ａ〜５４ａと、遊技盤６の背面に沿って配置される後壁部５１ｂ〜５４ｂとを夫々備えている。
【００２２】
また、支持枠５１〜５４のうちの一つ、例えば左支持枠５３側には、例えば周壁部５３ａから遊技盤６の前面側に沿って突設される前面支持部５３ｃと、例えば後壁部５３ｂ上又はその内周側に配置され且つ遊技盤６の端部（左端部）を前側の前面支持部５３ｃ側に付勢する板ばね等よりなる付勢手段５３ｄとが設けられており、遊技盤６の左縁部をその外周面側及び前後両面側の三方から挟み込むと共に付勢手段５３ｄにより前側、即ち前面支持部５３ｃ側に押圧して支持するようになっている。
【００２３】
また遊技盤装着枠３０上又はその近傍には、遊技盤装着枠３０に前側から装着された遊技盤６を解除可能に固定する複数、例えば２つのロック手段５５ａ，５５ｂが設けられている。ロック手段５５ａ，５５ｂは、遊技盤６における前面支持部５３ｃとは反対の端部側に対応して配置されており、上支持枠５１の右端部近傍に上ロック手段５５ａが、下支持枠５２の右端部近傍に下ロック手段５５ｂが夫々設けられている。また遊技盤６には、各ロック手段５５ａ，５５ｂに対応して外縁側に内向き凹入状の切り欠き部５６ａ，５６ｂが形成されている。
【００２４】
ロック手段５５ａ，５５ｂは、図２，図５に示すように、遊技盤装着枠３０内に前向きに突設され且つ前後軸廻りに回動自在な軸部５７と、この軸部５７の前端側に配置された固定摘まみ部５８と、軸部５７の前後方向の中間部分に固定された押圧部５９とを一体に備えている。そして、このロック手段５５ａ，５５ｂは、固定摘まみ部５８を切り欠き部５６ａ，５６ｂに対応して縦向きの解除位置にしたときに遊技盤装着枠３０に対して遊技盤６を着脱可能であり、横向きのロック位置にしたときに遊技盤６を遊技盤装着枠３０内で後壁部５１ｂ〜５４ｂ側及び原点位置Ｏ側へと押圧してロックするようになっている。
【００２５】
なお、原点位置Ｏは、発射手段５から発射された遊技球が遊技盤６の外レール３３ａ側へと入る始端側、即ち遊技盤装着枠３０の４つの隅部のうち、下部側で且つ前面支持部５３ｃ側の隅部に設定されている。
【００２６】
後部ケース３１は、図４，図５等に示すように、遊技盤６の裏側の裏カバー３５の外周面に沿って配置される上下左右の周壁部６０〜６３で構成され、その周壁部６０〜６３の後端に裏カバー３５の背面に沿って後壁部６４が設けられている。後壁部６４には、その略中央に遊技盤６の裏側の基板ケース３６〜３８等が嵌合する開口部６５が設けられ設けられると共に、この開口部６５を後側から開閉可能に覆う開閉カバー６６（図３）が着脱自在に装着されている。
【００２７】
後部ケース３１の下周壁部６１には、図５に示すように、集球ケース３５ｂの排出口３９に対応する切り欠き部６７と、遊技盤６下部のアウト口６８から遊技盤６の裏側に案内された遊技球を切り欠き部６７側に誘導する傾斜案内部６９とが設けられている。
【００２８】
後部ケース３１の背面側には、図３に示すように、開口部６５の上側に遊技球タンク７０とタンクレール７１とを備えた遊技球タンクユニット７２が着脱自在に装着され、また開口部６５の左右一側に払い出し手段７３と払い出し通路７４とを備えた払い出しユニット７５が着脱自在に装着されており、遊技球が大入賞手段３４ｄ等の入賞口に入賞したとき、又は図外の自動球貸し機から球貸し指令があったときに、遊技球タンク７０内の遊技球をタンクレール７１を経て払い出し手段７３により払い出し、その遊技球を払い出し通路７４、払い出し口２５を経て供給皿１２に案内するようになっている。
【００２９】
また後部ケース３１の下側で且つ下部装着部３ａの背面側には、図３に示すように、基板装着台７６が着脱自在に装着されており、この基板装着台７６の背面側に、例えば電源基板７７が格納された電源基板ケース７８と、払い出し制御基板７９が格納された払い出し基板ケース８０とが着脱自在に装着されている。
【００３０】
続いて、遊技盤６側の盤側ジョイント部４３と、前枠３側の枠側ジョイント部２８の構成について詳述する。盤側ジョイント部４３は、遊技盤６側のコネクタ接続用切欠部４０内に例えばその後側から装着され、遊技盤６の裏側に着脱自在に固定されており、図７〜図９等に示すように、盤側コネクタ４２ａ〜４２ｄが装着された中継基板８１と、この中継基板８１を収容する中継基板ケース８２とを備えている。
【００３１】
盤側コネクタ４２ａ〜４２ｄは、例えばその長手方向を上下に向けた状態で左右方向に複数個配置されており、それら盤側コネクタ４２ａ〜４２ｄに夫々電気的に接続された中継コネクタ８３ａ〜８３ｄと共に中継基板８１の前面側に前向きに固定されている。盤側コネクタ４２ａ〜４２ｄは、中継基板８１の例えば上縁側近傍に配置され、中継コネクタ８３ａ〜８３ｄは、盤側コネクタ４２ａ〜４２ｄの下側に夫々対応するように中継基板８１の下縁側近傍に配置されている。
【００３２】
なお、中継コネクタ８３ａ〜８３ｄは、図示しないハーネスを介して主制御基板３６ａ側の信号出力部及び電源部、演出制御基板３７ａ側の演出信号出力部及び電源部、液晶制御基板３８ａの電源部等に夫々接続されている。
【００３３】
中継基板ケース８２は、例えば透明な合成樹脂製で、中継基板８１の裏面側を覆うベース板８４と、中継基板８１の前面側を覆う蓋体８５とで構成されており、それらベース板８４と蓋体８５とで中継基板８１を前後に挟み込んだ状態で例えば複数の結合ねじ８６により開閉自在に結合されている。
【００３４】
ベース板８４は、例えば中継基板８１を裏側から支持する縦横の基板支持リブ８４ａと、ねじ止め基部８４ｂとを前向き突出状に備えた略プレート状で、コネクタ接続用切欠部４０に沿う上縁部及び左縁部上には、遊技盤６の裏面側に沿って外向きに突設する取付部８４ｃが複数設けられている。
【００３５】
また、蓋体８５は、ベース板８４の外周側に前側から嵌合する偏平な蓋状で、その前面側には、中継基板８１側の盤側コネクタ４２ａ〜４２ｄと中継コネクタ８３ａ〜８３ｄとが夫々嵌合する開口８５ａと、結合ねじ８６用の挿通穴８５ｂとが設けられ、更に例えばその上端側の複数箇所には、枠側ジョイント部２８側の被係合部８７に係脱自在に係合する係合爪８８が前向き突出状に一体形成されている。
【００３６】
そして、盤側ジョイント部４３は、中継基板ケース８２の背面側が遊技盤６の背面側と略面一となるようにコネクタ接続用切欠部４０内に後側から装着され、取付部８４ｃが遊技盤６の背面側に固定ねじ８９により着脱自在に固定されている。
【００３７】
枠側ジョイント部２８は、図１０〜図１３等に示すように、中空状に構成されたジョイントケース９１と、このジョイントケース９１のコネクタ装着面９１ａに装着された枠側コネクタ２７ａ〜２７ｄとで構成されている。そして、枠側ジョイント部２８は、前枠３側における原点位置Ｏに対して左右方向反対側（右端側）の端部近傍に配置され、下部装着部３ａの上縁部前端側（即ち下支持枠５２の下縁部前端側）に沿って配置された左右方向のヒンジ２９により、上下方向一端側（以下、支持端側という）において枢支されている。
【００３８】
ジョイントケース９１は、前後に二つ割り状に構成され且つ内部が透視可能に透明な表ケース９２と裏ケース９３とで構成されており、その支持端側に、前枠３側の軸受部２９ａと共にヒンジ２９を構成するヒンジ軸２９ｂが、そのヒンジ軸２９ｂとは反対側の端部側（以下、揺動端側という）に、盤側ジョイント部４３側の係合爪８８に対応する被係合部８７が、夫々設けられている。
【００３９】
表ケース９２と裏ケース９３は、上下方向一端側、例えば揺動端側が表ケース９２側の係合凹部９４と裏ケース９３側の係合爪９５とにより係脱自在に係合され、また上下方向他端側、例えば支持端側が、裏ケース９３側の取り付け孔９８に挿入されて表ケース９２側のネジ孔に螺合する結合ねじ９９により着脱自在に固定されている。
【００４０】
表ケース９２には、その支持端側の側部に一対のヒンジ軸２９ｂが左右方向外向きに突設され、揺動端側には被係合部８７が例えば凹入状に設けられており、また前面側のコネクタ装着面９１ａには、例えば揺動端側近傍に枠側コネクタ２７ａ〜２７ｄが装着されている。枠側コネクタ２７ａ〜２７ｄは、例えばその長手方向を上下に向けた状態で左右方向に複数個配置され、その後部をコネクタ装着面９１ａに形成された開口１００に嵌合させた状態でコネクタ装着面９１ａに外向き突出状に固定されている。
【００４１】
そして、枠側ジョイント部２８は、ヒンジ２９の上側でコネクタ装着面９１ａが後ろ向きとなって遊技盤６に対向する接続位置（図１０に二点鎖線で示す）と、ヒンジ２９の下側でコネクタ装着面９１ａが前向きとなって遊技盤装着枠３０の外側に待避する待避位置（図１０に実線で示す）との間の略１８０度の範囲で揺動可能であり、接続位置にあるとき、枠側コネクタ２７ａ〜２７ｄが盤側ジョイント部４３側の盤側コネクタ４２ａ〜４２ｄに夫々前側から結合すると共に、盤側ジョイント部４３側の係合爪８８が被係合部８７に係脱自在に係合して、その結合状態が保持されるようになっている。
【００４２】
なお、枠側コネクタ２７ａ〜２７ｄは、ジョイントケース９１内でハーネス（図示省略）と接続されており、それらのハーネスを介して電源基板７７、払い出し制御基板７９等に夫々接続されている。
【００４３】
上記構成のパチンコ機において、遊技盤６を遊技盤装着枠３０に装着する場合には、ガラス扉１０と前面開閉板９とを開放し、枠側ジョイント部２８をヒンジ２９の下側の待避位置に下げた状態（図１４に二点鎖線で示す）で、遊技盤６の左側の端部を遊技盤装着枠３０の原点位置Ｏにおいて後壁部５３ｂと前面支持部５３ｃとの間に挿入した後、遊技盤６の右側の端部を遊技盤装着枠３０内に押し込み、ロック手段５５ａ，５５ｂを操作して遊技盤装着枠３０内で遊技盤６を固定する。
【００４４】
このとき、盤側ジョイント部４３は、図１４に示すようにその下縁部の背面側に下支持枠５２の後壁部５２ｂが略当接し、この後壁部５２ｂにより後側から支持された状態となる。
【００４５】
そして、枠側ジョイント部２８を上向きに回転させ、ヒンジ２９の上側で、盤側ジョイント部４３側の係合爪８８が揺動端側の被係合部８７に係合するまで遊技盤６側に押し込む（図１４の二点鎖線→実線）。これにより、枠側ジョイント部２８側の枠側コネクタ２７ａ〜２７ｄが夫々盤側ジョイント部４３側の盤側コネクタ４２ａ〜４２ｄに一括して結合し、電気的に接続されると共に、係合爪８８が被係合部８７に係合することによりその接続状態が保持される。
【００４６】
このように、遊技盤６を遊技盤装着枠３０に装着した後、枠側ジョイント部２８をヒンジ２９廻りに遊技盤６側に回転させて枠側コネクタ２７ａ〜２７ｄと盤側コネクタ４２ａ〜４２ｄとを接続するため、ハーネスの配線位置や絡み、捻れなどを気にする必要がなく、簡単な操作で盤側コネクタ４２ａ〜４２ｄを枠側コネクタ２７ａ〜２７ｄに容易且つ確実に接続することが可能である。しかも、遊技盤６の装着からコネクタの接続までの全ての操作を、前枠３を開放することなくその前側からの操作のみで行うことが可能である。
【００４７】
また、盤側ジョイント部４３は、その上縁部及び左縁部が遊技盤６により、下縁部が下支持枠５２の後壁部５２ｂにより、夫々後ろ向きの移動を規制された状態となっているため、枠側ジョイント部２８を押し付けても盤側ジョイント部４３が後ろ向きに逃げることがなく、枠側ジョイント部２８の取付強度不足による接続不良を防止できる。
【００４８】
しかも、枠側コネクタ２７ａ〜２７ｄが盤側コネクタ４２ａ〜４２ｄに接続されたときに係合爪８８が被係合部８７に係合するようになっているため、係合爪８８が被係合部８７に係合するまで枠側ジョイント部２８を操作することで、作業者の不十分な操作に起因する接続不良を防止できる。
【００４９】
遊技盤６を遊技盤装着枠３０から取り外す場合には、係合爪８８の係合を解除した上で、枠側ジョイント部２８を手前に引き出して枠側コネクタ２７ａ〜２７ｄを盤側コネクタ４２ａ〜４２ｄから離脱させ、更に枠側ジョイント部２８をヒンジ２９の下側の待避位置まで回転させる。そして、ロック手段５５ａ，５５ｂを操作して遊技盤６の固定を解除した後、遊技盤６を右側端部から先に手前に引き出して取り外せばよい。
【００５０】
以上説明したように、本実施形態のパチンコ機は、盤側ジョイント部４３を遊技盤６側に固定的に設け、枠側ジョイント部２８を前枠３側にヒンジ２９を介して回動可能に設け、遊技盤６を遊技盤装着枠３０に装着した状態で、枠側ジョイント部２８をヒンジ２９廻りに回動させることにより、固定側の盤側ジョイント部４３に対して係脱可能としているため、ハーネスの配線位置や絡み、捻れなどを気にすることなく最小限の接続操作で盤側コネクタを枠側コネクタに容易且つ確実に接続することが可能である。
【００５１】
また、遊技盤６を遊技盤装着枠３０に対して前側から着脱可能とし、遊技盤６側に盤側ジョイント部４３を前向きに固定的に設け、前枠３の前側に、枠側ジョイント部２８を、遊技盤６が遊技盤装着枠３０に装着された状態で盤側ジョイント部４３側に接続する接続位置と、盤側ジョイント部４３から離脱し且つ遊技盤６と干渉しない待避位置との間で左右方向のヒンジ２９により回動可能に設けているため、遊技盤６の着脱作業の全てを前枠３を開放することなくその前側から行うことが可能である。
【００５２】
また、枠側ジョイント部２８側に被係合部８７を、盤側ジョイント部４３側に被係合部８７に係脱可能に係合する係合爪８８を夫々設け、盤側コネクタ４２ａ〜４２ｄと枠側コネクタ２７ａ〜２７ｄとが互いに接続されたときに係合爪８８が被係合部８７に係合するように構成されているため、係合爪８８が被係合部８７に係合するまで枠側ジョイント部２８を操作することで作業者の不十分な操作に起因する接続不良を防止でき、しかも盤側コネクタ４２ａ〜４２ｄと枠側コネクタ２７ａ〜２７ｄが接続された後はその接続状態を確実に保持できる。
【００５３】
図１５〜図２１は本発明の第２の実施形態を例示し、盤側ジョイント部４３を遊技盤６に後ろ向きに配置すると共に、枠側ジョイント部２８を前枠３の後側にヒンジ２９を介して回動可能に装着した例を示している。なお、以下の説明においては、第１の実施形態と異なる部分を中心に説明し、特に触れない部分は第１の実施形態と同様であるとする。
【００５４】
本実施形態のパチンコ機において、遊技盤６側の盤側ジョイント部４３は、盤側コネクタ４２ａ〜４２ｄが装着された中継基板８１と、この中継基板８１を支持する基板支持台１０１と、中継基板８１をカバーする基板カバー１０２とで構成されており、基板支持台１０１は、集球ケース３５ｂに一体に形成されている。即ち、集球ケース３５ｂは、主基板ケース３６が装着される基板ケース装着部１０３を背面側に備えた膨出部１０４と、この膨出部１０４の左右方向一端側下部で遊技盤６の下隅の近傍に膨出部１０４よりも低く形成された基板支持台１０１とを一体に備えている。
【００５５】
各盤側コネクタ４２ａ〜４２ｄは、例えばその長手方向を左右に向けた状態で上下方向に複数個配置されており、それら盤側コネクタ４２ａ〜４２ｄに夫々電気的に接続された中継コネクタ８３ａ〜８３ｄと共に中継基板８１の背面側に後向きに固定されている。盤側コネクタ４２ａ〜４２ｄは、中継基板８１の例えば右端側近傍に配置され、中継コネクタ８３ａ〜８３ｄは、盤側コネクタ４２ａ〜４２ｄの左側に夫々対応するように中継基板８１の左端側近傍に配置されている。
【００５６】
基板カバー１０２は、例えば透明な合成樹脂製で、中継基板８１を裏側から保護する基板保護部１０５と、この基板保護部１０５における膨出部１０４側の端部から膨出部１０４の側壁１０４ａに沿って斜め後方へと屈曲するハーネス押え部１０６とを一体に備え、中継基板８１に後側から当接した状態で集球ケース３５ｂの基板支持台１０１にねじ止めされている。
【００５７】
基板保護部１０５は、上下の盤側コネクタ４２ｄ，４２ａに対応する切り欠き部１０７，１０８を有し、この上下の盤側コネクタ４２ｄ，４２ａの周辺を除いて中継基板８１を裏側から覆い、中間の二個の盤側コネクタ４２ｂ，４２ｃが開口１０９，１１０から後方に突出している。また、ハーネス押え部１０６は、盤側コネクタ４２ａ〜４２ｄと中継コネクタ８３ａ〜８３ｄとの間で基板保護部１０５の左端側から後ろ向きに屈曲しており、中継コネクタ８３ａ〜８３ｄから引き出されるハーネス（図示省略）を膨出部１０４の側壁１０４ａとの間で押えて保持するようになっている。
【００５８】
また、盤側ジョイント部４３には、例えば基板カバー１０２における基板保護部１０５の左端側の複数箇所に、枠側ジョイント部２８側の被係合部８７に係脱自在に係合する係合爪８８が前向き突出状に一体形成されている。
【００５９】
前枠３側の枠側ジョイント部２８は、中空状に構成されたジョイントケース９１と、このジョイントケース９１のコネクタ装着面９１ａに装着された枠側コネクタ２７ａ〜２７ｄとで構成されている。そして、枠側ジョイント部２８は、原点位置Ｏと反対側のロック手段５５ｂの上側近傍において、遊技盤６の裏側の集球ケース３５ｂを取り囲む後部ケース３１の後壁部６４の内、下周壁部６１と右周壁部６３とが接続される角部に対応してその後側に配置され、例えば右周壁部６３の後端部側に沿って配置された上下方向のヒンジ２９により右端側（支持端側）において枢支されている。
【００６０】
ジョイントケース９１は、前後に二つ割り状に構成され且つ内部が透視可能に透明な表ケース９２と裏ケース９３とで構成されており、その支持端側に、前枠３側の軸受部２９ａと共にヒンジ２９を構成するヒンジ軸２９ｂが、そのヒンジ軸２９ｂとは反対側の端部側（以下、揺動端側という）に、盤側ジョイント部４３側の係合爪８８に対応する被係合部８７が、夫々設けられている。
【００６１】
表ケース９２と裏ケース９３は、例えば上下方向一端側が表ケース９２側の係合凹部９４と裏ケース９３側の係合爪９５とにより係脱自在に係合され、また上下方向他端側が、表ケース９２側の位置決め突起９６と裏ケース９３側の位置決め凹部９７とにより位置決めされると共に、裏ケース９３側の取り付け孔９８に挿入されて表ケース９２側のネジ孔に螺合する結合ねじ９９により着脱自在に固定されている。
【００６２】
表ケース９２には、その支持端側に一対のヒンジ軸２９ｂが上下方向外向きに突設されており、また前面側のコネクタ装着面９１ａには、例えば揺動端側近傍に枠側コネクタ２７ａ〜２７ｄが装着されている。枠側コネクタ２７ａ〜２７ｄは、例えばその長手方向を左右に向けた状態で上下方向に複数個配置され、その後部をコネクタ装着面９１ａに形成された開口１００に嵌合させた状態でコネクタ装着面９１ａに外向き突出状に固定されている。また、裏ケース９３には、揺動端側の側面に例えば凹入状の被係合部８７が設けられている。
【００６３】
そして、枠側ジョイント部２８は、コネクタ装着面９１ａが前向きとなって遊技盤６の裏面側に対向する接続位置と、その接続位置から後ろ向きに所定角度回転させた待避位置との間で揺動可能であり、接続位置にあるとき、枠側コネクタ２７ａ〜２７ｄが盤側ジョイント部４３側の盤側コネクタ４２ａ〜４２ｄに夫々後側から結合すると共に、盤側ジョイント部４３側の係合爪８８が被係合部８７に係脱自在に係合して、その結合状態が保持されるようになっている。
【００６４】
上記構成のパチンコ機において、遊技盤６を遊技盤装着枠３０に装着する場合には、ガラス扉１０と前面開閉板９とを開放し、遊技盤６の左側の端部を遊技盤装着枠３０の原点位置Ｏにおいて後壁部５３ｂと前面支持部５３ｃとの間に挿入した後、遊技盤６の右側の端部を遊技盤装着枠３０内に押し込み、ロック手段５５ａ，５５ｂを操作して遊技盤装着枠３０内で遊技盤６を固定する。
【００６５】
そして、前枠３の後側から枠側ジョイント部２８を前向きに回転させ、盤側ジョイント部４３側の係合爪８８が揺動端側の被係合部８７に係合するまで遊技盤６側に押し込む  （図２１の二点鎖線→実線）。これにより、枠側ジョイント部２８側の枠側コネクタ２７ａ〜２７ｄが夫々盤側ジョイント部４３側の盤側コネクタ４２ａ〜４２ｄに一括して結合し、電気的に接続されると共に、係合爪８８が被係合部８７に係合することによりその接続状態が保持される。
【００６６】
このように、本実施形態のパチンコ機では、第１の実施形態と比べて遊技盤６の装着時に前枠３を開放しなければならないという手間はあるものの、遊技盤６を遊技盤装着枠３０に装着した後、枠側ジョイント部２８をヒンジ２９廻りに遊技盤６側に回転させて枠側コネクタ２７ａ〜２７ｄと盤側コネクタ４２ａ〜４２ｄとを接続するため、第１の実施形態と同様、ハーネスの配線位置や絡み、捻れなどを気にする必要がなく、簡単な操作で盤側コネクタ４２ａ〜４２ｄを枠側コネクタ２７ａ〜２７ｄに容易且つ確実に接続することが可能である。
【００６７】
しかも、枠側コネクタ２７ａ〜２７ｄが盤側コネクタ４２ａ〜４２ｄに接続されたときに係合爪８８が被係合部８７に係合するようになっているため、係合爪８８が被係合部８７に係合するまで枠側ジョイント部２８を操作することで、作業者の不十分な操作に起因する接続不良を防止できる。
【００６８】
遊技盤６を遊技盤装着枠３０から取り外す場合には、係合爪８８の係合を解除した上で、枠側ジョイント部２８を後ろ向きに回転させて枠側コネクタ２７ａ〜２７ｄを盤側コネクタ４２ａ〜４２ｄから離脱させ、ロック手段５５ａ，５５ｂを操作して遊技盤６の固定を解除した後、遊技盤６を右側端部から先に手前に引き出して取り外せばよい。
【００６９】
以上、本発明の実施形態について詳述したが、本発明はこれらの実施形態に限定されるものではなく、本発明の趣旨を逸脱しない範囲で種々の変更が可能である。例えば、実施形態では全て盤側ジョイント部４３側を遊技盤６側に固定的に装着し、枠側ジョイント部２８を前枠３側にヒンジ２９廻りに揺動自在に装着したが、例えば枠側ジョイント部２８を前枠３側に固定的に装着し、盤側ジョイント部４３を遊技盤６側に揺動自在に装着してもよい。この場合、前枠３を開放することなく遊技盤６の着脱を行えるよう、盤側ジョイント部４３を遊技盤６の前側に設けることが望ましいが、盤側ジョイント部４３を遊技盤６の裏側に配置してもよい。
【００７０】
遊技盤６は遊技盤装着枠３０に対して後側から着脱するように構成してもよい。また、固定側の枠側ジョイント部２８又は盤側ジョイント部４３は、前後方向以外の任意の方向、例えば上下方向、左右方向等に配置してもよい。枠側ジョイント部２８又は盤側ジョイント部４３を回動自在に支持するヒンジ２９は縦、横、斜め等の任意の方向に配置可能である。
【００７１】
更に、実施形態では本発明をパチンコ機に適用した例を示したが、アレンジボール機等の各種弾球遊技機において同様に実施可能であることは言うまでもない。
【図面の簡単な説明】
【００７２】
【図１】本発明の第１の実施形態を示すパチンコ機の全体斜視図である。
【図２】同パチンコ機のガラス扉及び前面開閉板を取り外した状態での正面図である。
【図３】同パチンコ機の背面図である。
【図４】同パチンコ機の横断平面図である。
【図５】前枠単体の斜視図である。
【図６】遊技盤の背面図である。
【図７】遊技盤における盤側ジョイント部近傍の拡大正面図である。
【図８】遊技盤における盤側ジョイント部近傍の側面断面図である。
【図９】盤側ジョイント部の分解斜視図である。
【図１０】前枠における枠側ジョイント部近傍の拡大正面図である。
【図１１】枠側ジョイント部の側面図である。
【図１２】枠側ジョイント部の底面図である。
【図１３】枠側ジョイント部の分解斜視図である。
【図１４】枠側ジョイント部を盤側ジョイント部に結合した状態を示す側面断面図である。
【図１５】本発明の第２の実施形態を示すパチンコ機の遊技盤の背面図である。
【図１６】同遊技盤における盤側ジョイント部近傍の拡大背面図である。
【図１７】同遊技盤における盤側ジョイント部近傍の拡大平面断面図である。
【図１８】前枠単体の斜視図である。
【図１９】前枠における枠側ジョイント部近傍の拡大正面図である。
【図２０】枠側ジョイント部の分解斜視図である。
【図２１】枠側ジョイント部を盤側ジョイント部に結合した状態を示す平面断面図である。
【符号の説明】
【００７３】
３    前枠
６    遊技盤
２７ａ〜２７ｄ  枠側コネクタ
２８    枠側ジョイント部
２９    ヒンジ
３０    遊技盤装着枠
４０    コネクタ接続用切欠部（切欠部）
４２ａ〜４２ｄ  盤側コネクタ
４３    盤側ジョイント部
８７    被係合部（結合保持手段）
８８    係合爪（結合保持手段）
【図１】
0004630349.tif 000002
【図２】
0004630349.tif 000003
【図３】
0004630349.tif 000004
【図４】
0004630349.tif 000005
【図５】
0004630349.tif 000006
【図６】
0004630349.tif 000007
【図７】
0004630349.tif 000008
【図８】
0004630349.tif 000009
【図９】
0004630349.tif 000010
【図１０】
0004630349.tif 000011
【図１１】
0004630349.tif 000012
【図１２】
0004630349.tif 000013
【図１３】
0004630349.tif 000014
【図１４】
0004630349.tif 000015
【図１５】
0004630349.tif 000016
【図１６】
0004630349.tif 000017
【図１７】
0004630349.tif 000018
【図１８】
0004630349.tif 000019
【図１９】
0004630349.tif 000020
【図２０】
0004630349.tif 000021
【図２１】
0004630349.tif 000022